(57)【特許請求の範囲】
【請求項１】
ヘリキャルスキャン方式の再生装置であって、
磁気テープの走行速度が標準速度で記録された映像信号を再生する場合に、前記磁気テープから映像信号を再生する第１の映像ヘッドと、
前記磁気テープの走行速度が前記標準速度の約１／５で記録された映像信号を再生する場合に、前記磁気テープから映像信号を再生する第２の映像ヘッドとを備え、
前記第２の映像ヘッドは、磁気テープの走行速度が前記標準速度の約１／３で記録された映像信号を再生する場合に、映像信号を再生することを特徴とする再生装置。
【請求項２】
前記第２の映像ヘッドのヘッド幅は、前記磁気テープの走行速度が前記標準速度の約１／３で記録された映像信号を再生する場合に前記磁気テープに記録された映像信号のトラックピッチと等しいことを特徴とする請求項１に記載の再生装置。
【請求項３】
ヘリカルスキャン方式の再生装置であって、
磁気テープから映像信号を再生する第１の映像ヘッド及び第２の映像ヘッドと、
前記第１の映像ヘッドが標準のトラックピッチで記録された映像信号を再生し、前記第２の映像ヘッドが前記標準のトラックピッチの約１／３および約１／５で記録された映像信号を再生するように前記第１の映像ヘッドおよび第２の映像ヘッドを制御する制御手段と、を備えていることを特徴とする再生装置。
【請求項４】
前記第２の映像ヘッドのヘッド幅は、前記標準のトラックピッチの約１／３とほぼ等しいことを特徴とする請求項３に記載の再生装置。
【請求項５】
ヘリカルスキャン方式の再生装置であって、
磁気テープから映像信号を再生する第１の映像ヘッド及び第２の映像ヘッドと、
磁気テープから音声信号を再生する音声ヘッドと、
前記第１の映像ヘッドと前記音声ヘッドにより標準のトラックピッチで記録された映像信号と音声信号を再生する第１の再生モードと、前記第２の映像ヘッドと前記音声ヘッドにより前記標準トラックピッチの約１／５で記録された映像信号と音声信号を再生する第２の再生モードとを切り換える切換手段とを備え、
前記第２の映像ヘッドと前記音声ヘッドにより前記標準のトラックピッチの約１／３で記録された映像信号と音声信号を再生する第３の再生モードを有し、前記切換手段により前記第１の再生モードと、前記第２の再生モードと、前記第３の再生モードとを切り換えることを特徴とする再生装置。
【請求項６】
請求項１ないし請求項５のいずれかに記載の再生装置は、ＶＨＳ規格のビデオテーププレイヤーであることを特徴とする再生装置。
【請求項７】
前記第１の映像ヘッドおよび前記第２の映像ヘッドは、それぞれ一対のヘッドを備え、前記一対のヘッドのアジマス角度は互いに異なる方向に傾けて形成されていることを特徴とする請求項１ないし請求項６のいずれかに記載の再生装置。
【請求項８】
前記第１の映像ヘッドおよび前記第２の映像ヘッドのアジマス角度が異なる映像ヘッド同士が近接させて配置されたことを特徴とする請求項１ないし請求項７のいずれかに記載の再生装置。
【請求項９】
前記第１の映像ヘッドおよび前記第２の映像ヘッドは、音声ヘッドに対して回転方向にほぼ１２０度遅らせて配置されたことを特徴とする請求項１ないし請求項８のいずれかに記載の再生装置。
【請求項１０】
前記音声ヘッドは、前記第１映像ヘッドと前記第２の映像ヘッドよりも先行して前記磁気テープに記録された音声信号を再生することを特徴とする請求項５記載の再生装置。
【請求項１１】
前記磁気テープの種類を検出する記録媒体検出手段を備え、該記録媒体検出手段の結果に応じて、前記磁気テープの走行速度を設定又は選択可能にしたことを特徴とする請求項１ないし請求項１０のいずれかに記載の再生装置。
【発明の詳細な説明】
【0001】
【発明の属する技術分野】
本発明は、再生装置に関する。
【０００２】
【従来の技術】
従来、例えば、ＶＨＳ規格の磁気記録再生装置（ＶＴＲ）では、磁気テープと映像及び音声のヘッドを標準テープ走行速度に対して１／３の速度で相対的に走行させて記録する３倍モードの長時間記録モードが実現されている。これらの技術については、例えば特開昭５９−１２４００４公報などに記載されている。また、磁気テープ上のコントロール信号を用いて映像、音声等の各種データを入力する手段については、例えば特開昭６２−３３３８８公報などに記載されている技術がある。また、高速早送り／巻き戻し技術については、例えば特公平１−２１７７５２に記載された技術がある。
【０００３】
また、特公平２−６３２４２号公報には、音声のＳＮ比を改善するため、音声ヘッドが走行する磁気テープ上のトラックに映像ヘッドを重ねて走行させて、音声と映像を記録再生するヘリカルスキャン方式の磁気記録再生装置が記載されている。特に、テープ走行速度が標準モード時用の一対の第１の映像ヘッドと、テープ走行速度が標準モードの公称１／３の３倍モード時用の一対の第２の映像ヘッドと、一対の音声ヘッドとを、それぞれ対ごとに回転体の回転軸に対してほぼ対称の位置に配置するとともに、それぞれ対ごとに各ヘッドのギャップ面をヘッド進行方向の垂直面に対して傾けて形成されるアジマス角度を互いに異なる方向に形成し、かつ音声ヘッドのアジマス角度と第１と第２の映像ヘッドのアジマス角度の絶対値を異ならせることにより、標準モードと３倍モードの音声の記録再生を同一の音声ヘッドで実現するものが記載されている。
【０００４】
また、長時間記録の要求は３倍に留まらず、より一層の長時間記録の実現が望まれており、特開平５−２６６４４３号公報には、６倍の長時間記録方法が提案されている。
【０００５】
【発明が解決しようとする課題】
しかしながら、従来の標準モードとの互換性を保ち、任意の倍数の長時間記録を実現できる合理的なシステムにする必要がある。
【０００６】
本発明は、既存システムとの互換性を維持することを課題とする。
【０００７】
具体的には、音声及び映像用の回転ヘッドの構成、自動トラッキング制御、高速早送り／巻き戻し時の制御等を合理的なものにすることを課題とする。
【0008】
【課題を解決するための手段】
上記課題を解決するため、本発明は、ヘリキャルスキャン方式の再生装置であって、磁気テープの走行速度が標準速度で記録された映像信号を再生する場合に、前記磁気テープから映像信号を再生する第１の映像ヘッドと、前記磁気テープの走行速度が前記標準速度の約１／５で記録された映像信号を再生する場合に、前記磁気テープから映像信号を再生する第２の映像ヘッドとを備える。前記第２の映像ヘッドは、磁気テープの走行速度が前記標準速度の約１／３で記録された映像信号を再生する場合に、映像信号を再生する。
【０００９】
この場合に、第１と第２の映像ヘッドのアジマス角度が異なる映像ヘッド同士を近接させて配置することが好ましい。また、第１と第２の映像ヘッドは、音声ヘッドに対して回転方向にほぼ１２０度遅らせて配置することが好ましい。
【００１０】
さらに、音声ヘッドのヘッド幅は、Ｎ倍モード時のトラックピッチの３倍以下に形成することが好ましい。その場合、１つの音声ヘッドにより再生される音声信号のレベルに基づいて、Ｎ倍モードで記録された磁気テープの再生時のトラッキング制御を行うようにすることができる。
【００１１】
また、第１と第２の映像ヘッドのヘッド幅は、Ｎ倍モード時のトラックピッチのほぼ２倍に形成することが好ましい。
【００１２】
また、第２の映像ヘッドは、音声ヘッドに対して、Ｎ倍モード時に形成されるトラックで４トラック以上後方を走行させるように、回転体の基準面からの高さを異ならせ配置することが好ましい。この場合、音声ヘッドに対して第２の映像ヘッドが遅れて後方のトラックを走行するトラック数に応じて、第２の映像ヘッドに供給する映像記録信号を、音声ヘッドに供給する音声記録信号に対して遅れて供給停止するようにすることが好ましい。
【００１３】
一方、上記の磁気記録再生装置を用いて、テープ走行速度が標準モードの公称１／３の３倍モードに対応させる場合は、音声ヘッドにて音声信号を記録し、上記の第２の映像ヘッドにて映像信号を重ね書きするようにすることができる。この場合、第の映像ヘッドのヘッド幅を３倍モード時のトラックピッチ幅とほぼ等しくすることが好ましい。
【００１４】
また、上記の磁気記録再生装置を用いて、テープ走行速度が標準モードの公称１／２の２倍モードに対応させる場合は、第１の映像ヘッドと、音声ヘッドにて記録、再生するようにできる。
【００１５】
また、テープ走行速度が標準モードで記録された磁気テープの高速早送り／巻き戻し速度に対して、テープ走行速度が標準モードの公称１／Ｎの倍モードで記録された磁気テープの高速早送り／巻き戻し速度を遅く設定することが好ましい。この場合の速度設定は、磁気テープから再生されるコントロール信号が検出可能な範囲に設定することが望ましく、例えばコントロール信号のデューティの判別可能な範囲に設定することが好ましい。
【００１６】
また、３倍モード時およびＮ倍モード時に映像信号を記録再生する一対の第２の映像ヘッドのヘッド幅は、３倍モード時のトラックピッチとほぼ等しくすることができる。
【００１７】
上記の各手段は、再生専用のヘリカルスキャン方式の磁気再生装置に適用できることはいうまでもない。すなわち、映像ヘッドと音声ヘッドの配置関係は同じにする。そして、テープ走行速度が標準速度である標準モードにて記録された映像信号と音声信号は、第１の映像ヘッドと音声ヘッドで再生し、同様に、テープ走行速度が標準速度の略１／２である２倍モードにて記録された映像信号と音声信号も、第１の映像ヘッドと音声ヘッドで再生する。一方、テープ走行速度が標準速度の略１／３である３倍モードにて記録された映像信号と音声信号は、第２の映像ヘッドと音声ヘッドで再生する。テープ走行速度が標準速度の略１／Ｎ（Ｎは４以上の整数）であるＮ倍モードの場合も、３倍モードと同じである。この場合、再生モードを切り換える手段を設けることが好ましい。
【００１８】
また、テープ走行速度が標準速度である標準モードにて記録された磁気テープを高速早送り又は巻き戻しする際のテープ走行速度に対して、テープ走行速度が標準速度の略１／Ｎ（Ｎは４以上の整数）であるＮ倍モードにて記録された磁気テープを高速早送り又は巻き戻しする際のテープ走行速度を、より遅く設定する速度設定手段を設けることが好ましい。その場合、速度設定手段は、磁気テープを高速早送り又は巻き戻しする際のテープ走行速度を、磁気テープから再生されるコントロール信号を検出可能な速度範囲に設定する。例えば、磁気テープを高速早送り又は巻き戻しする際のテープ走行速度を、磁気テープから再生されるコントロール信号のデューティを判別可能な速度範囲に設定する。
【００１９】
また、回転体に搭載した磁気ヘッドにて磁気テープに映像信号を記録又は再生するヘリカルスキャン方式の磁気記録再生装置において、一対の第１の映像ヘッドと一対の第２の映像ヘッドを備え、第１の映像ヘッドにて標準のトラックピッチで映像信号を記録する第１の記録モードと、第２の映像ヘッドにて標準のトラックピッチの略１／３で映像信号を記録する第２の記録モードと、同様に第２の映像ヘッドにて標準のトラックピッチの略１／Ｎ（Ｎは４以上の整数）で映像信号を記録する第３の記録モードとを設け、それらのモードを切り換える手段を設けることができる。再生の場合も同様に、それらの記録モードに対応する第１〜第３の再生モードを設けて切り換えるようにするとともに、かつ音声ヘッドは第１と第２の映像ヘッドよりも先行して磁気テープに記録された信号を再生するようにする。
【００２０】
上記において、Ｎの値を５又は６に設定することができ、またＮの値を可変に設定するＮ値設定手段を設けることが好ましい。その場合、Ｎ値設定手段はＮの値として４以上の整数を、複数種類の値から任意に選択して設定可能にする。また、ヘリカルスキャン方式の磁気記録再生装置又は磁気再生装置として、ＶＨＳ方式のビデオテープレコーダに適用できる。
【００２１】
更に、磁気記録媒体に交互に記録トラックを形成する一対の第１の映像ヘッドに供給する映像記録信号の少なくとも一方を遅延させる遅延手段と、該遅延手段の遅延時間を実質的に記録トラック毎に制御する遅延制御手段とを有し、該遅延制御手段は、磁気記録媒体に記録される水平同期信号が隣接記録トラック間で実質的に並ぶように制御するようにすることが好ましい。これにより、隣接トラックの水平同期信号に原因するノイズを軽減できる。この場合、遅延制御手段により一対の第１の映像ヘッドに供給する映像記録信号の遅延時間をそれぞれほぼ等しく設定して記録する標準記録モードと、遅延時間を可変設定して記録する長時間記録モードとを設け、それらのモードを切り換えるようにすることができる。
【００２２】
また、磁気記録媒体を第１の走行速度で走行し、磁気ヘッドが塔載された回転体を第１の回転速度で回転させて記録再生する第１の記録再生モードと、磁気記録媒体を第２の走行速度で走行し、回転体を第２の回転速度で回転させて記録再生する第２の記録再生モードとを設け、それらのモードを切り換えるようにすることもできる。ここで、第２の走行速度と第２の回転速度は、第１の走行速度と第１の回転速度のそれぞれ１／Ｎ（Ｎは２以上の整数）とすることができる。
【００２３】
また、上記の第１と第２の記録再生モードに加えて、磁気記録媒体を第３の走行速度で走行し、回転体を第２の回転速度で回転させて記録再生する第３の記録再生モードを設け、それらのモードを切り換えて用いるようにすることができる。この場合、第２の走行速度は第１の走行速度の１／Ｎ（Ｎは２以上の整数）で、第３の走行速度は第２の走行速度の１／Ｍ（Ｍは２以上の整数）で、かつ第２の回転速度は第１の回転速度の１／Ｍ（Ｍは２以上の整数）に設定することができる。
【００２４】
また、１記録トラックに１フィールド分の映像信号を記録する第１の記録モードと、１記録トラックにＭ（Ｍは２以上の整数）フィールド分の映像信号を記録する第２の記録モードとを設け、これらを切り換えて用いることができる。
【００２５】
また、磁気テープ又は磁気記録媒体の種類を検出する記録媒体検出手段を設け、その記録媒体検出手段の結果に応じて、磁気テープ又は磁気記録媒体の走行速度と回転体の回転速度を設定又は選択可能にする。例えば、記録媒体検出手段が、使用する磁気テープの種類がＳ−ＶＨＳテープであると判断したとき、Ｎ値が４以上のモードを設定又は選択可能にする。
【００２６】
【発明の実施の形態】
以下、本発明の実施の形態を添付図面に基づいて詳細に説明する。
【００２７】
図１乃至４を用いて、本発明の第１の実施の形態を説明する。図１は回転ドラム上の映像ヘッド及び音声ヘッドの配置構成図、図２は図１に示す各ヘッドの取付高さ方向の段差を示す配置図、図３は標準モード時の磁気テープと映像ヘッド及び音声ヘッドの相対位置関係を示す模式図、図４は６倍モード時の磁気テープと映像ヘッド及び音声ヘッドの相対位置関係を示す模式図である。それらの図において、同一のものには同一符号を付して示している。
【００２８】
図１に示すように、回転ドラム１の回転面に臨ませて標準映像記録再生（標準モード）用の一対の映像ヘッド２，３と、６倍映像記録再生（６倍モード）用の一対の映像ヘッド４，５と、音声記録再生用の一対の音声ヘッド６，７が配置されている。一対の映像ヘッド２，３は、回転ドラム１上に、ほぼ１８０度の間隔を持って配置され、かつそれらのアジマス角度（ギャップ対向面とヘッド回転方向の垂直面とのなす角度）は互いに異なる方向に傾けて形成されている。同様に、一対の映像ヘッド４，５と一対の音声ヘッド６，７も、回転ドラム１上に、ほぼ１８０度の間隔を持ってそれぞれ配置され、かつそれらのアジマス角度も互いに異なる方向に傾けて形成されている。映像ヘッド２と５、及び３と４同士は、それぞれアジマス角度の傾きが反対に形成され、かつ互いに近接して配置されている。両者の間隔は、通常テープ上に記録される映像信号の水平同期信号の周期のＴｈ（Ｔｈは通常１又は２に設定）倍に設定される。また、音声ヘッド６（又は７）と映像ヘッド３，４（又は２，５）は、１２０度の間隔を有して配置されている。
【００２９】
なお、回転ドラム１の回転方向は図示矢印のごとく左回転とする。また、各ヘッドのアジマス角度は、例えば、映像ヘッド２、４は約＋６度、映像ヘッド３、５は約−６度、音声ヘッド６は約＋３０度、音声ヘッド７は約−３０度に形成されている。これにより、アジマス損失を利用して隣接および同一トラック間で生じる音声と映像信号間のクロストークを軽減している。また、映像ヘッド２，３，４，５と音声ヘッド６、７のヘッド幅と、取付面の高さ位置（回転ドラムの軸方向位置）は、図２に示すように、設定されている。図２において、各ヘッドに付した斜線は、アジマス角度の傾き方向の関係を表している。
【００３０】
ここで、図３と図４に、図１，２に示した配置構成の回転ヘッドを用いて磁気テープ８に記録する際の、音声トラック９と映像トラック１０のトラックパターンを示す。図３は、標準モードにおける磁気テープ８、映像ヘッド３及び音声ヘッド６の相対位置関係を示している。各トラックピッチは、標準モードの映像ヘッド２，３のヘッド幅に合わせて、約６０μｍとなるようにテープ速度が制御される。これにより、音声ヘッド６のヘッド幅と同一の幅の音声トラック９が磁気テープ８上に形成される。本実施の形態では、音声ヘッド６のヘッド幅は約２８μｍに形成されている。このようにして記録された音声トラック９の上に、１２０度分の回転位相遅れで、映像ヘッド３のヘッド幅と同一の幅の映像トラック１０が重ね書きにより形成される。
【００３１】
ところで、映像ヘッド３は音声ヘッド６よりも１２０度分の位相遅れがあるため、映像ヘッド３と音声ヘッド６の回転ドラム１における高さ位置を同じにすると、映像ヘッド３が先行する音声ヘッド６と同じ磁気テープ上の位置にくるまでに、磁気テープはトラックピッチ（約６０μｍ）の（１２０度／１８０度）分だけ先に進んでいる。そこで、その先行分４０μｍ（＝６０μｍ ×１２０／１８０）＋αを考慮して、映像トラック１０が音声トラック９に重ね書きされるように、両者のヘッド段差を図２に示すように約５８μｍにしている。ここで、＋αは図３に示すように音声トラック９を映像トラック１０のほぼ中心付近に設定するための値である。これにより、音声トラック９と映像トラック１０の重なり部の幅は約２８μｍとなる。この重なり部は、両者のヘッドのアジマス極性が異なっていることから、両者の信号間の干渉は問題にならない。一般に、音声信号は比較的低周波の変調信号として磁気テープ８の深層部まで記録され、映像信号は比較的高周波の変調信号として磁気テープ８の表層部に記録され、その際に先に記録されている音声信号の変調信号を消去しながら重ね書きされる。
【００３２】
図４は、６倍モード時における磁気テープ８、映像ヘッド４及び音声ヘッド６の相対位置関係を示している。各トラックピッチ９，１０は、約１０μｍで形成されるようにテープ速度が制御される。音声ヘッド６のヘッド幅は、図３と同じく約２８μｍにて磁気テープ８上に音声トラック９を形成する。これに回転ドラム１上で１２０度分遅れて映像ヘッド４が、映像トラック１０を重ね書きする。この１２０度分の回転位相遅れにより、磁気テープ８はトラックピッチ（約１０μｍ）の（１２０度／１８０度）分だけ走行する。そのずれを補償するため、先行分の約７μｍ（＝１０μｍ ×１２０／１８０）を考慮して、両者のヘッド段差を約７μｍとすることが考えられるが、本実施の形態では、後述する理由により図２に示すように約４９μｍとしている。これにより、音声トラック９と映像トラック１０の重なりは、図４から判るように、約８μｍとなり、その重なり部分は同一アジマス極性になっている。ただし、アジマス角度は前述したように、異なる角度（６度と３０度）に形成されているため、アジマス損失は充分に得られることから、両者の信号間の干渉は充分に取り除かれる。また、映像ヘッド４のヘッド幅は、約１０μｍのトラックピッチに対して充分に広い約２０μｍが適当といえる。これにより、トラックの曲がり等を許容して、充分なトラッキング性能を得ることができる。
【００３３】
次に、図２に示した音声ヘッド６，７と映像ヘッド４，５とを用いて６倍モードによる記録を行う際に必要となる録画終了点における制御について、図５と図６を用いて詳細に説明する。それらの図において、図１乃至図４と同一のものには同一符号を付けて説明を省略する。図６は、６倍モード時の記録制御手段の主要部を示すブロック図である。入力端子１１から入力される音声記録信号は、音声記録アンプ１２によって増幅されて音声ヘッド６，７に切り換え供給され、これによって入力される音声記録信号が隣合う音声トラック９上に交互に記録される。一方、入力端子１３から入力される映像記録信号は、映像記録アンプ１４によって増幅されて映像ヘッド４，５に切り換え供給され、これによって入力される映像記録信号が隣合う映像トラック上に交互に記録される。タイミング制御回路１５は、映像記録アンプ１２と音声記録アンプ１４に供給するミュート信号を発生する。
【００３４】
ここで、上述のように記録された磁気テープ上の水平同期信号の並びについて説明する。ＶＨＳ規格方式の場合の水平同期信号の例にして、３倍モードの場合を図１８に、６倍モードの場合を図１９に示す。ＶＨＳ規格では、図１８に示す如く、３倍モード記録時に隣接トラック間の水平同期信号（Ｈ）のズレ量（αＨ）は、０．５Ｈに設定されている。このため、１フィールド（２６２．５Ｈ）を１トラックに記録すると各記録トラック間において、水平同期信号（Ｈ）の並びはきれいに一致される。
【００３５】
しかし、本実施の形態を適用した６倍モードの例では、図１９に示す如くずれ量αＨは０．２５Ｈとなり、各記録トラック間において水平同期信号（Ｈ）の並びが乱れることになる。このように記録された磁気テープを図１９に示す記録トラックより幅が広いヘッド４にて再生すると、両隣接トラックから信号が漏れ込む問題が発生しやすい。基本的には、隣接トラック間はアジマス角の異なるヘッドにて記録されているから、アジマス効果により隣接成分はかなり低下して再生されるが、アジマス効果の得られない低域変換色信号や輝度信号における比較的低周波成分の水平同期信号部分等が、特に漏れ込み画質に悪影響を与える。このときの画像モニタの例を図２０に示す。図１９に示したように両隣接から漏れ込む水平同期信号部分は左右にてそれぞれ０．２５Ｈずれているため、図２０に示す如く画面上に２本の縦線状に隣接妨害信号として画質を劣化させる。
【００３６】
このような隣接妨害信号の低減策の一例として、５倍モードにした場合を図２１に示す。５倍モード記録することにより、両隣接からの影響は６倍モード時に比較して大幅に改善する。すなわち、６倍モード時は主トラック１０μｍに対し、両隣接トラックから５μｍを検出していたのに対し（比率；５／１０＝０．５）、５倍モードでは、主トラック１２μｍに対し、両隣接トラックから４μｍの検出となる（比率；４／１２＝０．３３）。また、この説明では、左右隣接トラックに同じように検出されるようにトラッキングを制御する例を説明したが、本来は記録時の関係と同じ位置関係を維持して再生する方が完全な記録時と同じ条件を満足でき、メカニズム的な外乱要因に対して強いと言える。この様な場合にも、６倍モードは隣々接トラックの同アジマス角トラックにヘッド端が接するために、より画質劣化につながる隣々接妨害が考えられる。この点からも５倍モードがより有効である。また、従来の３倍モードより長時間、例えば本実施の形態で説明した５倍又は６倍モードなどの複数のモードを有し、必要に応じて切り換えて使用することもできることは言うまでもない。
【００３７】
さらに、隣接トラックの水平同期信号による妨害の積極的な解決策として、図２２および図２３に、６倍モード記録時の水平同期信号の並びを一致させる実現策を示す。図２３は、図６中に示す映像記録アンプ１４の具体的回路例を示し、０．２５Ｈ遅延回路７１，７２，７３、ＳＷ回路７４、記録アンプ７５、ＳＷ回路７６、遅延制御回路７７を含んで形成されている。本回路により、図２２に示すように記録トラックごとに遅延時間を０．２５Ｈ単位で切り換えることで、各記録トラックの水平同期信号の並びを確保することができる。すなわち、各記録トラックで、ｔ2＝０．５Ｈ、ｔ1＝０．２５Ｈ、ｔ0＝０Ｈ、ｔ3＝０．７５Ｈの４モードを繰り返すことにより、全ての記録トラックの水平同期信号の並び揃えることができる。本例は、６倍モードについて記載したが、これに限る物ではなく、５倍モードについても同様のことができる。
【００３８】
このようにすることで、隣接および隣々接トラックからの妨害信号の位置は画面モニター上では見えない水平同期信号とほぼ同じ位置になる。この制御は図２３に示す映像記録アンプ１４中の遅延制御回路７７にて、タイミング制御回路からの信号に応じて前記４モードの出力パターンをＳＷ回路７４に供給し、０．２５Ｈ遅延回路７１から７３の入出力から最適な信号を選択することで記録アンプ７５およびＳＷ回路７６を介してヘッド４、５に供給することで、磁気テープ上に図２２に示すように水平同期信号の並びにした記録とすることができる。
【００３９】
次に、上述のようにして記録された６倍モードの記録信号を再生する再生動作について説明する。図７に、６倍モードの再生時における磁気テープ８と映像ヘッド４及び音声ヘッド６との相対位置の関係を示す。基本的な相対関係は、図５に示した記録時と同様であるが、最適なトラッキングを実現するために、図６のごとく両者の位相を合わせる。すなわち、音声ヘッド６は再生対象の音声トラック９がヘッド幅のほぼ中心位置になるようにトラッキングを合わせる。これにより、再生対象の音声トラックに隣接する両サイドの音声トラック上をも同時に走査することになるが、アジマス極性が相違するので干渉の問題はなく、また同一アジマス極性の音声トラックは１つ置いた音声トラックになり、これを走査することはないので、干渉の問題を回避できる。この条件を満たすため、音声ヘッド６（又は７）のヘッド幅を、６倍モード時のトラックピッチの３倍以下とすることが好ましい。つまり、音声ヘッド幅２８μｍ＜トラックピッチ１０μｍ×３の関係に設定する。これにより、隣接トラックの信号はアジマス損失で充分に減衰し、かつ隣々接トラックは再生しないようにすることができ、充分なＳ／Ｎを確保した音声信号を再生することが可能となる。また、音声ヘッド６，７は、標準モードにおいても活用するため、上記の範囲内でできるだけ広い幅であることが、標準モードでのＳ／Ｎ向上にとっては良いことは明らかである。
【００４０】
また、映像ヘッド４，５のヘッド幅も同様に、他の磁気記録再生装置で記録された磁気テープを再生することを考慮して、両者のトラックの曲がり（±５μｍ）を充分に吸収できるようにトラックピッチの３倍以下の範囲で、充分に広い幅に設定するのがよい。ただし、必要以上にヘッド幅を広くすることは、Ｓ／Ｎの劣化につながるので、トラックの曲がりをカバーする程度、例えばトラックピッチの約２倍である２０μｍ（トラック幅１０μｍ＋トラックの曲がり１０μｍ）が適当である。
【００４１】
ここで、前述した音声ヘッド６，７に対する映像ヘッド４，５の段差を約４９μｍに設定した理由について、図８と図９を用いて説明する。図８は、標準モードで記録された磁気テープ８を高速（記録速度に対してほぼ３倍速）で再生する際の磁気テープ８と映像ヘッド３、４の相対位置関係を示している。図９は、図８の再生動作を得るための再生手段のブロック図を示す。図示のように、映像ヘッド２，３，４，５により再生された映像再生信号は、それぞれ対応する再生アンプ１６〜１９により増幅される。映像ヘッド３，４の再生信号はそれぞれレベル比較器２０とスイッチ回路２２に入力される。また、映像ヘッド２，５の再生信号はそれぞれレベル比較器２１とスイッチ回路２３に入力される。つまり、隣接して設けられる映像ヘッド３、４（又は２、５）を互いに異なるアジマス角度を有するように形成したことから、高速再生する際には、図１０〜図１２に示すように、一方の映像ヘッド３の出力が低下した場合に、他方の映像ヘッド４の出力が増加する関係になるように、両者の映像ヘッドの段差を考慮しておくことが望ましい。図１０〜図１２で、映像ヘッド３の出力レベルは出力波形２５で示し、映像ヘッド４の出力レベルは出力波形を２６で示す。このようにすることで、両者の映像ヘッド３、４の出力が大きい方を選択的に選ぶことにより、又は等間隔に切り換えることにより、ノイズの発生が少ない高速再生画象を得ることができる。このためには、映像ヘッド３、４（及び２，５）のヘッド幅の中心をほぼ同一に配置することが望ましい。図１０は、このときの映像ヘッド３、４の出力波形２５、２６を示している。
【００４２】
一方、少なくとも、図４に示した６倍モードによる記録時の相対位置関係を考慮すると、映像ヘッド４（又は５）は音声ヘッド６（又は７）に対し、４フィールド（４トラック相当）から６フィールド（６トラック相当）、後行記録する位置に配置する必要がある。図１１は、４フィールド後行記録する位置に配置した場合の高速再生時の映像ヘッド３、４の出力波形２５、２６を示す。また、図１２は、６フィールド後行記録する位置に配置した場合の高速再生時の映像ヘッド３、４の出力波形２５、２６を示す。それらの図から、いずれの場合もノイズの発生が少ない高速再生画象を得ることができることが判る。
【００４３】
図９に示した再生手段は、図１０〜１２を実現する一つの例である。つまり、近接して配置された映像ヘッド３，４（又は５，２）の出力を増幅した再生アンプ１６，１７（又は１８，１９）の出力信号を、レベル比較器２０（又は２１）で比較して出力信号の大きい方を検出する。そして、スイッチ回路２２（又は２３）を選択的に切り換えることにより、常に出力信号の大きい方を選択して再生出力にする。このスイッチ回路２２，２３の出力は、さらにスイッチ回路２４にてドラムの回転に同期して作られるヘッド切換信号にて、映像ヘッド３と４又は映像ヘッド５と２の再生信号が切り換えて選択され、連続した再生信号を出力するようになっている。
【００４４】
ここで、レベル比較器２０，２１は、必ずしも各再生アンプの出力レベルの大きさだけで選択するのに限らず、図１０〜図１２に示すごとく、各周期（ｔ２からｔ３）、（ｔ３からｔ４）、（ｔ４からｔ５）および（ｔ１からｔ２と、ｔ５からｔ６の合計）が等しくなるように選ぶことが考えられる。この方が、再生画面における映像変化点を同一点に固定することができ、見やすいという利点がある。これを実現するには、レベル比較器２０，２１の出力のデューティ比が５０％に成るように制御すればよい。
【００４５】
次に、３倍モードにより記録された記録信号を再生する再生動作について説明する。図１３に、３倍モードの再生時における磁気テープ８と映像ヘッド４及び音声ヘッド６との相対位置の関係を示す。図示のように、各トラックピッチは、約２０μｍになるように磁気テープの速度を制御している。音声ヘッド６のヘッド幅は、前記の実施の形態と同じく、約２８μｍにて磁気テープ８上に音声トラック９を形成して行く。これに回転ドラム１上の１２０度分遅れて映像ヘッド４が、映像トラック１０を重ね書きして行く。この回転ドラム１上の１２０度分の遅れにより、磁気テープ８はトラックピッチ（約２０μｍ）の（１２０度／１８０度）分だけ先に進むため、その先行分の約１３μｍ（＝２０×１２０／１８０）を両者のヘッド段差の約４９μｍより引いた値（約３６μｍ）の位置を、映像ヘッド４が走査することになる。これにより、音声トラック９と映像トラック１０の同一アジマス極性部分の重なりは、約１６μｍとなる。また、映像ヘッド４のヘッド幅は約２０μｍで有るから、トラックピッチの約２０μｍを確保しているので、ガードバンドが発生することなく全べてのトラックに記録することができる。この関係は、再生時にもほぼ同様な関係を維持して再生することができる。
【００４６】
次に、２倍モードによる記録再生時の動作について説明する。図１４に、２倍モード時における磁気テープ８と映像ヘッド３と音声ヘッド６の相対位置関係を示す。同図で、図１〜図１３に示したものと同じものには、同じ符号を付して説明を省略する。音声と映像のトラックピッチは、それぞれ約３０μｍとなるように磁気テープ速度が制御されている。音声ヘッド６のヘッド幅は、上記の実施の形態と同じく、約２８μｍにて磁気テープ８上に音声トラック９を形成して行く。そして、これに回転ドラム１上の１２０度分遅れて映像ヘッド３が、映像トラック１０を重ね書きして形成して行く。この回転ドラム１上の１２０度分の遅れにより磁気テープはトラックピッチ（約３０μｍ）の（１２０度／１８０度）分だけ先に進むため、その先行分の約２０μｍ（＝３０μｍ ×１２０／１８０）を両者のヘッド段差の約５８μｍから引いた値（約３８μｍ）の所を、映像ヘッド３が走査することになる。これにより、音声トラック９と映像トラック１０の同一アジマス極性部分の重なりは、約２２μｍとなる。また、音声ヘッド６のヘッド幅は約２８μｍで有るから、トラックピッチの約３０μｍに対して約２μｍのガードバンドが発生する。この関係は、再生時にもほぼ同様な関係を維持して再生することができることは言うまでもない。
【００４７】
上述したように、図１，２に示した回転ヘッドの構成にすることにより、３倍モード時と６倍モード時には映像ヘッド４，５を用い、標準モード時と２倍モード時には映像ヘッド２，３を用いることにより、それぞれ記録又は再生を実現することができる。
【００４８】
次に、上述した実施の形態の各種テープ速度による記録又は再生モードを有する磁気記録再生装置において、磁気テープと音声及び映像ヘッドとの相対速度、及び位相を制御する制御手段について説明する。ここでは、図７に示した６倍モード時の再生トラッキング制御を例にして、以下に詳細に説明する。
【００４９】
図１５に、再生トラッキング制御装置のブック構成図を示す。図において、図１〜１４と同一のものには同一符号を付して説明を省略する。磁気テープ８は回転ドラム１の回転面に接して走行するようになっており、かつ回転ドラム１はドラムモータ２７によって回転駆動されている。また、磁気テープ８はキャプスタン２８とピンチローラ２９とにより挟持され、キャプスタン２８をキャプスタンモータ３０で回転駆動して、磁気テープ８の走行速度を制御可能になっている。回転ドラム１に設けられた音声ヘッド６，７により再生された音声信号は、ヘッドスイッチ回路３１により切り換えられ、いずれかの音声ヘッド６，７の音声信号がプリアンプ３２に入力されるようになっている。プリアンプ３２により増幅された音声信号は、音声信号処理回路３３とエンベロープ検波回路３４に入力される。音声信号処理回路３３は、変調されている音声信号を復調するとともに、必要な音声信号処理を行って再生音声信号を復元して出力する。エンベロープ検波回路３４は、音声信号の振幅成分を検出して、回転ドラム・キャプスタン制御手段４５に出力する。
【００５０】
回転ドラム・キャプスタン制御手段４５は、ドラムサーボ制御回路３５、ヘッドスイッチ信号（ＨＳＷ）生成回路３６、キャプスタンサーボ制御回路３９、基準信号発生器４０、遅延回路４１、トラッキング制御回路４２を有して形成されている。ドラムサーボ制御回路３５は、ドラムモータ２７が発生するＤＦＧ信号とＤＰＧ信号から、ドラムモータ２７の速度と位相を制御する信号を生成し、ドライバ回路３７を介してドラムモータ２７を制御する。ヘッドスイッチ信号生成回路３６は、ＤＰＧ信号又はＤＰＧ信号により基準化されるＤＦＧ信号に基づいて、音声ヘッド６，７の切り換えタイミングを生成し、これに基づいてヘッドスイッチ回路３１を切り換え制御する。キャプスタンサーボ制御回路３９は、モード切換手段８６により設定された記録再生モード、及び磁気テープ８上に接して配置されたコントロールヘッド４３により再生されるコントロール信号とＣＦＧ信号とに基づいて、テープ走行速度と位相を制御する信号を生成し、ドライバ回路３８を介してキャプスタンモータ３０を制御する。これらによって、磁気テープ８と音声ヘッド６，７の相対位置を制御するようになっている。なお、図１５の説明において、電気的処理の部分をすべて回路と表現しているが、例えば、回転ドラム・キャプスタン制御手段４５は、適当なマイクロコンピュータを用いてソフトウェアで構成することもできる。
【００５１】
次に、図１５の実施の形態の動作を、図１６を参照しながら説明する。まず、磁気テープ８上にヘリカル走査により記録されている音声トラック９の信号は、回転ドラム１上に配された２つの音声ヘッド６，７で再生され、ヘッドスイッチ回路３１により交互に選択されて読み出される。また、図示していないが映像信号も同様に回転ドラム１上に配置された映像ヘッド２，３又は映像ヘッド４，５で再生され、ヘッドスイッチ回路を介して連続した再生信号を得て、復調処理され映像信号を出力する。
【００５２】
一方、ドラムサーボ制御回路３５は、ＤＦＧ信号の周期を一定に保つように速度制御信号を生成するとともに、ＤＰＧ信号と基準信号発生器４０の出力信号を位相比較して両者の位相同期化を図るようにドラムモータ２７の回転位相を制御する。キャプスタンサーボ制御回路３９は、ＣＦＧ信号の周期を一定に保つように速度の制御信号を生成するとともに、磁気テープ８上からコントロールヘッド４３と再生アンプ４４を介して得られるコントロール信号と、基準信号発生器４０の出力信号を遅延回路４１を介して遅延して得られた信号とを位相比較し、両者の位相同期化を図るようにキャプスタンモータ３０の回転を制御する。また、モード切換手段８６により、キャプスタンサーボ制御回路３９を制御して、各種テープ走行速度のモードを制御する。
【００５３】
ここで、キャプスタンモータ３０を用いたトラッキング制御は、次のようになされる。まず、エンベロープ検波回路３４は、磁気テープ８から読み出された音声信号の振幅成分の検波を行う。これにより、エンベロープ検波回路３４から出力され音声信号は、磁気テープ８上に形成された音声トラック９と音声ヘッド６，７のトレース位相（走行位置）との相対関係により、例えば、図１６に示す如くなる。すなわち、音声トラック９の幅は約１０μｍであるのに対し、音声ヘッド６，７のヘッド幅は約２８μｍであるから、隣接トラックはアジマス効果によりほぼ出力が再生されないが、隣々接トラックは同一アジマス極性であるから再生される。このため、逆極性のアジマストラックの中心を音声ヘッド６又は７がトレースするとき、両側の同一極性のアジマストラックからそれぞれ９μｍ幅に相当するレベルの再生信号が検出される（図１６中に、波線で示した音声ヘッド６の位置関係）。ただし、それぞれのトラックから再生される信号には相関性がないため、互いに打ち消す信号成分があり、同一トラックから再生される信号レベルに比較して低下し、図１６の下部に示す如く、両者の相対位相の変化に対して相対出力レベルが変化する。これらの結果を用いて、最適トラッキング位相を遅延回路４１を用いて設定する。この最適値は、例えば図１６に示す如く相対出力レベルの両サイドの出力レベルが等しくなるところを検出し、その中心値に設定すればよい。
【００５４】
図２４，２５を参照して、本発明に係る他の実施の形態を説明する。本実施の形態は、今まで述べてきた磁気テープの送り速度を低下させるだけでなく回転ヘッドの回転速度をも低下させて長時間記録する方法の例である。図２４は、本発明に係る６倍モード記録時の磁気テープ上の記録トラックと記録ヘッドの相対位置を示す図である。図２５は、図２４を実現する具体的な回路手段を詳細に説明するために、図１５のドラムサーボ処理回路３５の具体的回路手段を示す。図２５に示すように、ドラムサーボ処理回路３５は、２逓倍回路７８、ＳＷ回路７９、８０、速度検出回路８１、位相検出回路８２、加算回路８３、６倍モード指示の入力端子８４、１／２分周回路８５を含んで構成されている。
【００５５】
図２４は、図１３に示す３倍モードの記録パターンと同じである。ただ記録される信号が変化している。すなわち、図１３に示される３倍モードでは、１トラックに１フィールド分の映像信号を記録していたのに対し、本例では１トラックに２フィールド分の映像信号を記録することで、２倍の情報を記録する。この方式は、磁気テープの走行速度を６倍モードにすると同時に回転ヘッドの回転速度も１／２にすることにより実現される。これにより、前述した再生時の隣接および隣々接トラックからの妨害信号の影響を受けない記録トラックパターンを作成することができる。もちろん、磁気テープと回転ヘッドの相対速度が低下するため周波数変調された映像信号の高周波成分の出力低下に注意が必要であるが、最近の高解像度モード（ＶＨＳ方式ではＳ−ＶＨＳモードに当たる）を実現の磁気テープとヘッドを用いて通常モードの記録再生を行うには充分な性能が有られつつある。そのため、例えば本記録モードはＳ−ＶＨＳカセットテープが挿入された場合のみに設定可能モードに限定することが望ましい。
【００５６】
次に、図２４の具体的な実現手段について、図１５および図２５により詳細に説明する。磁気テープの６倍モードの制御についてはすでに、図１５により説明済みであるので、回転ヘッドの速度を１／２に制御する具体的な回路手段を図２５により説明する。同図は、回転ヘッドの回転を制御するドラムサーボ処理回路３５内に設けられた回路構成を示す。通常モードに対して、本長時間モード（６倍）では、入力端子８４からの指示によりＳＷ回路７９、８０が動作して、回転ヘッドを有するドラムの回転速度に応じて発生するＤＦＧ信号は、２逓倍回路７８を介して２倍の周波数を上記ＳＷ回路７９を介して、速度検出回路８１および加算回路８３を経由してドラムモータを制御する。このため、結果的に通常モードに対して１／２の速度で回転ヘッドが制御される。また、位相検出回路８２については、基準信号発生器４０からの信号を１／２分周回路８５により１／２に分周して、前記ＳＷ回路８０を介して供給し、ドラム回転位相信号ＤＰＧ入力と位相検出することで位相制御についても同様に１／２速制御を行うことができる。
【００５７】
また、図示していないが入力端子８４に入力される信号は、前記した如くシステムコントローラにて現在挿入されている磁気テープの種類が何であるかを検出し、例えばＳ−ＶＨＳテープの場合のみ上記長時間記録モードを設定できるようにすればよい。また、本例では１トラックに２フィールドを記録することを記載したが、１トラックに３フィールド以上記録するシステムを構成することができることは容易に理解できるであろう。
【００５８】
次に、図１７を用いて、本発明に係る磁気テープ８の高速早送り／巻き戻しの制御作について説明する。同図は、一実施の形態の高速早送り／巻き戻し制御装置をブロック図で示している。図において、図１〜図１６と同一のものには同一符号を付して説明を省略する。図示のように、磁気テープ８は２つのリール４６，４７に巻回されている。リール４６，４７はそれぞれリール台４８，４９に係合されており、リール台４８，４９は駆動力伝達手段５５を介してモータ５４により回転駆動されるようになっている。ＦＧ（Frequency Generator）パルス発生器５０，５１は、それぞれリール台４８，４９の回転速度を検出するものであり、それらの回転速度に比例した周波数のパルスを出力するようになっている。また、リール台４８，４９に設けられたブレーキ５２，５３は、ブレーキ駆動手段６６により駆動されるようになっている。モータ５４の回転速度は、ＦＧパルス発生器５６によって検出される。なお、図示を省略しているが、回転ドラムとキャプスタンは、両リール４６，４７間を移送される磁気テープ８に接して設けられている。
【００５９】
ここで、磁気テープ８を速度Ｖｎの高速で走行させる場合を例にして、高速早送り／巻き戻し制御装置の詳細構成を動作とともに説明する。モータドライバ６４からの出力信号によりモータ５４が回転駆動する。モータ５４の駆動力は駆動力伝達手段５５を介して、早送り時にはリール台４９、巻き戻し時にはリール台４８に伝達される。これにより、磁気テープ８が早送り時はリール４７へ、巻き戻し時はリール４６に巻取られる。このとき、ＦＧパルス発振器５０にてリール台４８の速度を、ＦＧパルス発振器５１にてリール台４９の速度を、ＦＧパルス発振器５６にてモータ５４の速度がそれぞれ検出される。検出されたリール台４８，４９及びモータ５４の回転速度を示す周波数のパルス信号は、巻径検出手段５７と速度検出手段５８に入力される。
【００６０】
巻径検出手段５７では、例えば下記の数式１により、リール４６，４７の巻径値（半径）Ｒｓ、Ｒｔを求める。
【００６１】
【数１】
Ｒｓ＝√｛Ｓ／（π・（１＋（Ｔｔ／Ｔｓ）2））｝
Ｒｔ＝√｛Ｓ／（π・（１＋（Ｔｓ／Ｔｔ）2））｝
但し、Ｓは磁気テープを上方から見たときのリールハブを含むテープの総巻面積を、Ｔｓ、ＴｔはそれぞれＦＧパルス発振器５０，５１から出力されるパルスの周期を示す。
【００６２】
一方、速度検出手段５８では、例えば下記の数式２により、磁気テープの走行速度Ｖを求める。
【００６３】
【数２】
Ｖ＝２・π・Ｒｔ／Ｔｔ
巻径検出手段５７にて検出された巻径値（半径）Ｒｓ、Ｒｔは、速度検出手段５８と減速度設定手段５９に入力される。また、速度検出手段５８にて検出された速度データＶは、速度誤差検出手段６１と停止判定手段６５に入力される。減速度設定手段５９では、巻径検出手段５７から入力される巻径値（半径）Ｒｓ、又はＲｔにより、減速時にテープ弛みの発生しない減速度ａが設定される。ここで、テープ弛みのない減速走行を行うためには、制御されるテープ巻取り側リールの減速度aを、非制御となるテープ供給側リールの負荷トルクによる減速度以下に設定する必要がある。すなわち、減速度ａ[mm/s2]は、下記の数式３によって設定される。数式３において、Ｔ、Ｒ、Ｉは、それぞれテープ供給側リールの負荷トルク[gr/mm]、巻径値（半径）[mm]、及び慣性モーメント[gr/mm2]である。なお、負荷トルクＴと慣性モーメントＩについては、測定等により予め求めておく必要がある。ここで、テープ供給側とは、早送り時はリール４６側であり、巻き戻し時はリール４７側である。
【００６４】
【数３】
ａ≦Ｔ・Ｒ／Ｉ
減速度設定手段５９にて設定された減速度ａは、目標速度切り換え手段６０に入力される。目標速度切り換え手段６０では、入力端子７０を介して入力される速度切り換え信号により目標速度Ｖｎが設定される。設定された目標速度Ｖｎは速度誤差検出手段６１に入力される。速度誤差検出手段６１では、速度検出手段５８にて検出された速度データＶと、目標速度切り換え手段６０にて設定された目標速度Ｖｎとの誤差成分を算出する。この速度誤差検出手段６１にて算出した速度誤差成分が、ＰＷＭ発生器６２、積分器６３、及びモータドライバ６４を介してモータ５４にフィードバックされる。これにより、テープ走行速度Ｖを目標速度Ｖｎに追従させる。
【００６５】
このような高速早送り／巻き戻し時において、磁気テープ８上から、例えばコントロール信号にデューティ比変調で記録された頭出し信号を検出して、これに基づいて磁気テープ８を停止する制御がある。同図では、磁気テープ８上のコントロール信号をコントロールヘッド４３を介して、データ検出手段６７により頭出し信号を検出する。このデータ検出手段６７の出力は、加算器６８を介して目標速度切り換え手段６０と停止判別手段６５に入力される。目標速度切り換え手段６０では、停止信号の入力により目標速度Ｖｎの減算を開始する。ここで、目標速度Ｖｎの単位時間当たりの減算量は、減速度設定手段５９より入力される減速度ａに比例する。これにより、目標速度Ｖｎは減速度ａに相当する傾きで変化することになる。したがって、走行速度Ｖは目標速度Ｖｎに追従するため、減速度ａで減速する。一方、停止信号の入力後、停止判別手段６５では、速度検出手段５８より入力される速度データＶが許容速度ＶＬ以下となったことを検出すると、ブレーキ許可信号を出力する。停止判別手段６５から出力されたブレーキ許可信号はブレーキ駆動手段６６に入力される。ブレーキ駆動手段６６では、停止判別手段６５からのブレーキ許可信号により、ブレーキ５２，５３を駆動し、テープ走行を停止させる。
【００６６】
したがって、目標速度切り換え手段６０から出力される目標速度Ｖｎが許容速度ＶＬを上回る速度ＶＨならば、停止信号の入力後、速度ＶＨから速度ＶＬまで減速した後、停止判別手段６５からブレーキ許可信号が出力され、走行を停止する。ここで、供給側リールの巻径値が変化することに伴って減速度も変化するため、それぞれの巻径値に対してブレーキのタイミングは異なる。
【００６７】
また、目標速度Ｖｎが許容速度ＶＬ以下の速度ならば、その停止動作は停止信号の入力と同時に停止判別手段６５からブレーキ許可信号が出力され、走行を停止する。
【００６８】
また、磁気テープ８が標準モードから６倍モードのいずれの記録モードで記録されているかに応じて、目標速度切り換え手段６０の出力を切り換えることで用途別の使い勝手を向上することができる。すなわち、磁気テープ８を単に先頭部分まで巻き戻すモード指定の場合には、記録モードに関わらず最も高速な巻き戻し速度に設定すればよい。しかし、コントロール信号上に重畳された頭出し信号を検出して停止するモードの早送り／巻き戻し時には、同じ磁気テープ８の速度でも磁気テープ８上から再生されるコントロール信号の周波数は標準モードで記録された磁気テープに対して６倍モードで記録された磁気テープの方が６倍高い周波数で検出される。この場合、再生コントロール信号の周波数が高くなりすぎて、再生コントロール信号が検出できないことが考えられる。再生コントロール信号は、この数によりテープ位置を管理する情報などに使用されており検出できないとシステムとして不都合が生じる。また、仮に再生コントロール信号の数は検出できたとしても、再生コントロール信号上に重畳された頭出し信号が検出できないとシステムとしても不都合が生じる。
【００６９】
そこで、６倍モード時には高速早送り／巻き戻し速度を制限する手段を設ける。つまり、目標速度切り換え手段６０において、入力端子７０より速度切り換え信号を供給することにより、その高速早送り／巻き戻し速度を設定する。これにより、新たに設けた６倍モードで記録されたテープにおいて、高速早送り／巻き戻しモードにおいても、磁気テープ上のコントロール信号に重畳された頭出し信号を検出し、所望の位置に停止する検索制御を実現することができる。
【００７０】
また、再生時の記録モード判別は、通常再生されるコントロール信号周波数と磁気テープ速度との比較から判定することができる。また、入力端子６９は、操作者が手動にて停止操作を行った際に入力信号である。さらに、モータ５４は、図１５に示すキャプスタンモータ３０と同一であっても良い。
【００７１】
以上説明したように、本発明の実施形態に係る磁気記録再生装置によれば、次の効果が得られる。
（１）映像信号と音声信号を標準モードと共に、長時間のＮ倍（例えば、５倍又は６倍）モードの記録再生を同一の音声ヘッドにて実現できる。
（２）３倍モードの記録再生を実現する際に、Ｎ倍（例えば、５倍又は６倍）モード用の映像ヘッドを共用できる。
（３）２倍モードの記録再生を実現する際に、標準モード用の映像ヘッドを共用して実現できる。
（４）Ｎ倍（例えば、５倍又は６倍）モードの再生時における最適トラッキング方法として、音声ヘッド出力を用いることにより、音声、映像の両方を最適にトラッキングすることができる。
（５）Ｎ倍（例えば、５倍又は６倍）モードの記録停止時には、少なくとも４フィールド以上の期間にわたって音声信号記録を先に停止することにより、確実に音声トラック上に映像トラックを重ね書きすることができる。
（７）Ｎ倍（例えば、５倍又は６倍）モードの高速早送り／巻き戻し速度を、標準モードのテープ速度に比較して低速に設定することにより、磁気テープ上からの頭出し信号を確実に検出可能とすることができる。
（８）Ｎ倍（例えば、５倍又は６倍）モード時の記録パターンの隣接トラック間の水平同期信号の並びを揃えることができ、隣接クロストークの影響を画面上で見えにくくすることができる。
【0072】
【発明の効果】
本発明によれば、既存システムとの互換性を維持しつつ、３倍モードを超える
長時間再生を実現することができる。
【図面の簡単な説明】
【図１】本発明に係る磁気記録再生装置の回転ヘッドの一実施の形態の構成図である。
【図２】図１に示す回転ヘッドの各ヘッドの配置関係を示す図である。
【図３】標準モード記録時の磁気テープと各ヘッドとの相対位置関係を示す図である。
【図４】本発明を適用した６倍モードによる記録再生時の磁気テープと各ヘッドとの相対位置関係を示す図である。
【図５】本発明を適用した６倍モードにおける記録停止時の映像ヘッドと音声ヘッドとの記録停止タイミングを説明する相対位置関係図である。
【図６】６倍モードにおける記録停止時の映像ヘッドと音声ヘッドとの記録停止タイミングを制御する制御ブロック図である。
【図７】本発明を適用した６倍モード再生時の磁気テープと各ヘッドのトラッキング位相関係を示す図である。
【図８】本発明を適用した標準モードのサーチ再生時の磁気テープと各ヘッドとの相対位置関係を示す図である。
【図９】標準モードのサーチ再生の制御ブロック図である。
【図１０】標準モードのサーチ再生時の映像ヘッド３と映像ヘッド４の出力レベルを示す波形図である。
【図１１】標準モードのサーチ再生時の映像ヘッド３と映像ヘッド４の出力レベルを示す波形図である。
【図１２】標準モードのサーチ再生時の映像ヘッド３と映像ヘッド４の出力レベルを示す波形図である。
【図１３】本発明に係る回転ヘッドを用いた３倍モードの磁気テープ上の記録パターンを示す図である。
【図１４】本発明に係る回転ヘッドを用いた２倍モードの磁気テープ上の記録パターンを示す図である。
【図１５】本発明に係る６倍モード再生時の最適トラッキング制御の一実施の形態の制御ブロック図である。
【図１６】図１５の制御ブロック図の動作を説明する図である。
【図１７】本発明に係る６倍モードにおける高速早送り／巻き戻し制御手段の一実施の形態のブロック図である。
【図１８】図１３の記録パターンを拡大して示す磁気テープ上の記録パターン図である。
【図１９】図７の磁気テープと各ヘッドのトラッキング位相関係を拡大して示すパターン図である。
【図２０】図１９の記録パターンにより再生される映像信号の表示例を示す図である。
【図２１】本発明を適用した５倍モード記録パターンを再生した際のテープとヘッドのトラッキング位相関係を示す詳細な相対位置関係図である。
【図２２】図１９の記録パターンを改良した記録パターン図である。
【図２３】図２２の記録パターンを実現するための詳細回路例を示す回路図である。
【図２４】本発明の他の実施の形態にかかる６倍モード再生時のテープとヘッドのトラッキング位相関係を示す相対位置関係図である。
【図２５】図２４のトラッキング位相関係を実現する回路手段の一例を示す回路図である。
【符号の説明】
１  回転ドラム
２、３  （標準モード用）映像ヘッド
４、５  （６倍モード用）映像ヘッド
６、７  音声ヘッド
８  磁気テープ
９  音声トラック
１０  映像トラック
１５  タイミング制御回路
２７  ドラムモータ
２８  キャプスタン
３０  キャプスタンモータ
３４  エンベロープ検波回路
３５  ドラムサーボ制御回路
３９  キャプスタンサーボ制御回路
４０  基準信号発生器を
４１  遅延回路
４２  トラッキング制御回路
４３  コントロールヘッド
４８、４９  リール台
５０、５１、５６  ＦＧパルス発生器
５４  モータ
５５  駆動力伝達手段
５７  巻径検出手段
５８  速度検出手段
５９  減速度設定手段
６０  目標速度切り換え手段
６１  速度誤差検出手段
６５  停止判別手段
６６  ブレーキ駆動手段
６７  データ検出手段
７１〜７３  ０．２５Ｈ遅延回路
７４、７６  ＳＷ回路
７５  記録アンプ
７７  遅延制御回路
７８  ２逓倍回路
７９、８０  ＳＷ回路
８１  速度検出回路
８２  位相検出回路
８３  加算回路
８４  入力端子
８６  モード切換回路
【図１】
0003731506.tif 000002
【図２】
0003731506.tif 000003
【図３】
0003731506.tif 000004
【図４】
0003731506.tif 000005
【図５】
0003731506.tif 000006
【図６】
0003731506.tif 000007
【図７】
0003731506.tif 000008
【図８】
0003731506.tif 000009
【図９】
0003731506.tif 000010
【図１０】
0003731506.tif 000011
【図１１】
0003731506.tif 000012
【図１２】
0003731506.tif 000013
【図１３】
0003731506.tif 000014
【図１４】
0003731506.tif 000015
【図１５】
0003731506.tif 000016
【図１６】
0003731506.tif 000017
【図１７】
0003731506.tif 000018
【図１８】
0003731506.tif 000019
【図１９】
0003731506.tif 000020
【図２０】
0003731506.tif 000021
【図２１】
0003731506.tif 000022
【図２２】
0003731506.tif 000023
【図２３】
0003731506.tif 000024
【図２４】
0003731506.tif 000025
【図２５】
0003731506.tif 000026